(57)【要約】【課題】スピーカ装置の共鳴器としてガラス瓶を有効利用する。【解決手段】電気信号に応じて振動して音波を発生する音波発生部３、及び内部が空洞６に形成されて上面４ａに音波発生部３を取り付ける開口部７を形成し、下面４ｂに空洞６につながる第１の貫通孔９を設けたエンクロージャ４から成るスピーカユニット１と、エンクロージャ４の下面４ｂに設けられた第１の貫通孔９に先端部８を嵌合して空洞６に内部空間１６を結合させ、共鳴器として機能するガラス瓶２と、を備えたものである。【選択図】図１
2009017299.tif 000002
【特許請求の範囲】
【請求項１】
電気信号に応じて振動して音波を発生する音波発生部、及び内部が空洞に形成されて一面に前記音波発生部を取り付ける開口部を形成し、他面に前記空洞につながる貫通孔を設けたエンクロージャから成るスピーカユニットと、
前記エンクロージャの前記他面に設けられた前記貫通孔に先端部を嵌合して前記空洞に内部空間を結合させ、共鳴器として機能するガラス瓶と、
を備えたことを特徴とするスピーカ装置。
【請求項２】
前記ガラス瓶は、円筒状の胴部と、該胴部からなだらかな曲線により先端先細りに形成されて所定の外径を有するようにされた先端部とから成ることを特徴とする請求項１記載のスピーカ装置。
【請求項３】
電気信号に応じて振動して音波を発生する音波発生部と、
内部が空洞に形成され、一面に前記音波発生部を取り付ける開口部を形成し、前記空洞に内部空間を結合させて共鳴器として機能させるようにガラス瓶の先端部を嵌合させる貫通孔を前記空洞につなげて他面に設けたエンクロージャと、
を備えたことを特徴とするスピーカユニット。
【請求項４】
前記エンクロージャは、前記空洞の壁面を前記開口部から前記貫通孔に向かって傾けて、前記音波発生部で発生した音波を前記貫通孔まで導く形状にしたことを特徴とする請求項３記載のスピーカユニット。
【請求項５】
前記エンクロージャは、前記他面に前記ガラス瓶の先端部を嵌合させる前記貫通孔とは別の貫通孔を設けたことを特徴とする請求項３又は４記載のスピーカユニット。
【請求項６】
前記別の貫通孔に所定長さのパイプを前記空洞内部に向かって延びた状態に取り付けたことを特徴とする請求項５記載のスピーカユニット。
【請求項７】
前記エンクロージャは、上面に前記開口部を形成して該開口部に前記音波発生部を取り付け、該音波発生部の上方位置に音波を散らすディフューザーを設けたことを特徴とする請求項３〜６のいずれか１項に記載のスピーカユニット。
【発明の詳細な説明】
【技術分野】
【０００１】
本発明は、内部が空洞に形成されたエンクロージャの該空洞に内部空間を結合させた共鳴器を有するスピーカ装置に関し、詳しくは、上記共鳴器としてガラス瓶を有効利用しようとするスピーカ装置及びスピーカユニットに係るものである。
【背景技術】
【０００２】
従来のこの種のスピーカ装置は、磁気回路に結合されたフレームと、このフレームの外周部に結合された第１の振動板と、この第１の振動板に結合されるとともに、その一部が上記磁気回路の磁気ギャップに嵌め込まれるボイスコイルと、上記フレームに結合されたパネルと、上記第１の振動板を結合した上記パネルで囲まれた空間と、このパネルで囲まれた空間に結合した第２の振動板とで構成され、その第１の振動板と第１の振動板に結合したパネルと第２の振動板とで囲まれた空間に結合する共鳴器を設置したものとなっていた（例えば、特許文献１参照）。
【特許文献１】特開２００６−２０１８３号公報
【発明の開示】
【発明が解決しようとする課題】
【０００３】
しかし、このような従来のスピーカ装置においては、第１の振動板とパネルと第２の振動板とに囲まれた密閉空間に結合するように共鳴器を設置したものであるが、該共鳴器がガラス瓶から成るものではなかった。したがって、例えば、高級ワインのボトルを共鳴器に有効利用してスピーカ装置を構成することができず、この高級ワインのボトルを記念に飾ると共に、このワインボトルで音楽を楽しむということができなかった。
【０００４】
そこで、本発明は、このような問題点に対処し、共鳴器としてガラス瓶を有効利用しようとするスピーカ装置及びスピーカユニットを提供することを目的とする。
【課題を解決するための手段】
【０００５】
上記目的を達成するために、本発明によるスピーカ装置は、電気信号に応じて振動して音波を発生する音波発生部、及び内部が空洞に形成されて一面に前記音波発生部を取り付ける開口部を形成し、他面に前記空洞につながる貫通孔を設けたエンクロージャから成るスピーカユニットと、前記エンクロージャの前記他面に設けられた前記貫通孔に先端部を嵌合して前記空洞に内部空間を結合させ、共鳴器として機能するガラス瓶と、を備えたものである。
【０００６】
このような構成により、エンクロージャの一面に形成された開口部に取り付けた音波発生部で電気信号に応じて振動して音波を発生し、エンクロージャの他面に該エンクロージャの内部に形成された空洞につなげて形成した貫通孔に先端部を嵌合させ、空洞に内部空間を結合させたカラス瓶を共鳴器として機能させる。
【０００７】
また、前記ガラス瓶は、円筒状の胴部と、該胴部からなだらかな曲線により先端先細りに形成されて所定の外径を有するようにされた先端部とから成るものである。これにより、円筒状の胴部と、該胴部からなだらかな曲線により先端先細りに形成されて所定の外径を有するようにされた先端部とから成るガラス瓶で低音域の音圧を強調する。
【０００８】
また、本発明によるスピーカユニットは、電気信号に応じて振動して音波を発生する音波発生部と、内部が空洞に形成され、一面に前記音波発生部を取り付ける開口部を形成し、前記空洞に内部空間を結合させて共鳴器として機能させるようにガラス瓶の先端部を嵌合させる貫通孔を前記空洞につなげて他面に設けたエンクロージャと、を備えたものである。
【０００９】
このような構成により、エンクロージャの一面に形成された開口部に取り付けた音波発生部で電気信号に応じて振動して音波を発生し、エンクロージャの他面に該エンクロージャの内部に形成された空洞につなげて形成した貫通孔に先端部を嵌合させ、空洞に内部空間を結合させたカラス瓶を共鳴器として機能させる。
【００１０】
さらに、前記エンクロージャは、前記空洞の壁面を前記開口部から前記貫通孔に向かって傾けて、前記音波発生部で発生した音波を前記貫通孔まで導く形状にしたものである。これにより、エンクロージャの空洞の壁面を開口部から貫通孔に向かって傾けて、音波発生部で発生した音波を貫通孔まで導く。
【００１１】
また、前記エンクロージャは、前記他面に前記ガラス瓶の先端部を嵌合させる前記貫通孔とは別の貫通孔を設けたものである。これにより、エンクロージャの他面に設けられ、ガラス瓶の先端部を嵌合させる貫通孔とは別の貫通孔で低音域の音波を空洞から外部に放出する。
【００１２】
さらに、前記別の貫通孔に所定長さのパイプを前記空洞内部に向かって延びた状態に取り付けたものである。これにより、別の貫通孔に空洞内部に向かって延びた状態に取り付けた所定長さのパイプで低音域の音圧を調整する。
【００１３】
そして、前記エンクロージャは、上面に前記開口部を形成して該開口部に前記音波発生部を取り付け、該音波発生部の上方位置に音波を散らすディフューザーを設けたものである。これにより、エンクロージャの上面に形成した開口部に取り付けた音波発生部で音波を発生し、音波発生部の上方位置に設けたディフューザーで音波を散らす。
【発明の効果】
【００１４】
請求項１又は３に係る発明によれば、共鳴器としてガラス瓶を有効利用することができる。したがって、例えば、記念として飾られた高級ワインのボトルで音楽を楽しむことができる。
【００１５】
また、請求項２に係る発明によれば、透明感のあるすっきりとした音を再生することができる。
【００１６】
さらに、請求項３に係る発明によれば、音波発生部で発生した音波を貫通孔まで効率よく導くことができることができる。したがって、ガラス瓶による共鳴現象を効果的に発生させることができる。
【００１７】
また、請求項４に係る発明によれば、ガラス瓶の先端部を嵌合させる貫通孔とは別の貫通孔で低音域の音波を空洞から外部に放出することができる。したがって、低音域をより効果的に再生することができる。
【００１８】
さらに、請求項５に係る発明によれば、別の貫通孔に取り付けたパイプの長さを調整して、低音域の音圧を調整することができる。
【００１９】
そして、請求項６に係る発明によれば、音波発生部の上方位置に設けたディフューザーで音波を散らすことができる。したがって、音波発生部を上に向けて取り付けた場合にも、指向性の強い高音域の音波をスピーカ装置の前方に向けて効率よく散らすことができる。これにより、低音域から高音域までのびた高音質の音を再生することができる。
【発明を実施するための最良の形態】
【００２０】
以下、本発明の実施形態を添付図面に基づいて詳細に説明する。図１は本発明によるスピーカ装置の実施形態を示す部分断面正面図であり、図２は図１の右側面図である。このスピーカ装置は、内部が空洞に形成されたエンクロージャの該空洞に内部空間を結合させた共鳴器を有するもので、スピーカユニット１と、ガラス瓶２とを備えて構成している。
【００２１】
上記スピーカユニット１は、音波を放射する音波放射源と成るもので、音波発生部３と、エンクロージャ４と、ディフューザー５とを備えている。
【００２２】
ここで、上記音波発生部３は、電気信号に応じて振動して、例えば100Hz〜20KHzの中音域から高音域において音圧の強い音波を発生するもので、磁界中に置かれたコイルに電流を流すことによって振動板を動かし、これによって音を出力するダイナミックスピーカ、又は圧電素子を利用して電気信号を音圧に変換する圧電スピーカ、若しくはそれらを組み合わせたものである。
【００２３】
図３はエンクロージャ４の形状を示す四面図である。このエンクロージャ４は、図３（ｂ）に示すように、内部が空洞６に形成されて上面４ａに上記音波発生部３を取り付ける開口部７を形成し、同図（ｄ）に示すように下面４ｂに上記空洞６につながり、後述のガラス瓶２の先端部８を嵌合させる二つの第１の貫通孔９と、所定長さのパイプ１０（図１参照）を空洞６内部に向かって延びた状態に嵌合して低音域の音圧を調整するための二つの第２の貫通孔１１とを中心線に対して左右対称位置に設けたものである。十分な低音が得られる場合には、上記パイプ１０は無くてもよい。
【００２４】
そして、上記エンクロージャ４は、アルミニウムを溶かして鋳型に流し込んで成形した鋳物からなる。なお、エンクロージャ４は、鋳物に限られず、プラスチックの成形品であってもよく、又は木材を削り出して形成したものであってもよい。また、図３において、符号１２は音波発生部３をエンクロージャ４に取り付けるためのねじ穴であり、符号１３は音波発生部３に電気信号を供給するための端子部１４（図１参照）を取り付けるための端子取付孔である。
【００２５】
ここで、上記エンクロージャ４の外側面は、図３（ｂ）に示すように、中心線に対して左右に対向する二側面４ｃの間隔が上面４ａから下面４ｂに向かって広がるように傾斜し、同図（ｃ）に示すように上記二側面４ｃの対向方向に対して直交方向に対向する他の二側面４ｄの間隔が上面４ａから下面４ｃに向かって狭くなるように傾斜して形成されている。
【００２６】
即ち、空洞６の壁面にて、上記二側面４ｃに対応する二壁面６ａは、図３（ｂ）に示すように上面４ａから下面４ｂに向かって広がるように傾斜し、同図（ｃ）に示すように二壁面６ａの対向方向に対して直交方向に対向する他の二壁面６ｂの間隔が上面４ａから下面４ｃに向かって狭くなるように傾斜して形成されている。したがって、音波発生部３で発生した音波をエンクロージャ４内部の空洞６の傾斜した壁面６ａ，６ｂによって上記二つの第１の貫通孔９まで効率よく導くことができる。
【００２７】
さらに、上記ディフューザー５は、図１に示すように、エンクロージャ４の上面４ａに取り付けられた音波発生部３の保護ネット１５上に配置されており、例えば木材により球形状に形成されて音波発生部３から上方に放射された音波を散らす機能を果たすものである。なお、ディフューザー５は、球形状に限られず、音波発生部３から上方に放射された音波をスピーカ装置の四周又は前方に散らすことができれば、例えば逆円錐形状であっても他の如何なる形状であってもよい。
【００２８】
上記エンクロージャ４の二つの第１の貫通孔９にそれぞれ先端部８を嵌合させて二本のガラス瓶２が設けられている。このガラス瓶２は、上記エンクロージャ４の空洞６に内部空間１６を結合させて共鳴器として機能するものであり、円筒状の胴部１７と、該胴部１７からなだらかな曲線により先端先細りに形成されて所定の外径を有するようにされた先端部８とから成っている。
【００２９】
特に、上記ガラス瓶２としては、先端部８から胴部１７に至る線がなだらかななで肩のワインボトルが適している。但し、ガラス瓶２はワインボトルに限定されず、同様の形状を有するものであれば他のガラス瓶であってもよい。また、ガラス瓶２は、なで肩形状に限られず、他の形状であってもよい。しかし、音の透明感という点において、なで肩形状のガラス瓶が好適である。
【００３０】
次に、このように構成されたスピーカ装置の動作について説明する。
スピーカユニット１の音波発生部３で発生した音波にて、該音波発生部３から上方に放射された中音域から高音域の音波は、音波発生部３の上方に配置された球形状のディフューザー５で四周に散らされ、視聴空間を伝播してスピーカ装置の前方に位置する視聴者に届く。
【００３１】
一方、音波発生部３の後方に放射された音波は、空洞６の壁面６ａ，６ｂによって二つの第１の貫通孔９まで導かれ、該第１の貫通孔９に先端部８を嵌合させてエンクロージャ４の空洞６に内部空間１６を結合したガラス瓶２により共鳴現象を呈し、低音域の音圧が強調される。この強調された低音域の音波は、エンクロージャ４の第２の貫通孔１１に嵌合したパイプ１０を通して外部に放出され、スピーカ装置の前方に位置する視聴者に届く。
【００３２】
そして、視聴位置において上記低音域の音波と音波発生部３から直接伝播した中音域から高音域の音波とが合成されて帯域の広い高音質の音を聞くことができる。
【００３３】
この場合、ガラス瓶２の内部空間１６の容積が大きいほど低音域の音圧を強調することができる。また、エンクロージャ４の第２の貫通孔１１に嵌合したパイプ１０の長さを調整することによって、エンクロージャ４の空洞６から放出される低音域の音圧を適宜調整することができる。
【００３４】
なお、上記実施形態においては、第１の貫通孔９を二つ設けた場合について説明したが、本発明はこれに限られず、第１の貫通孔９は一つであってもよく、又は三つ以上であってもよい。この第１の貫通孔９の数は、スピーカユニット１の大きさやデザイン性から適宜選択されるものである。
【００３５】
また、上記実施形態においては、スピーカユニット１のエンクロージャ４の外側面を、対向する二側面４ｃの間隔が上面４ａから下面４ｂに向かって広がるように傾斜させ、二側面４ｃの対向方向に対して直交方向に対向する他の二側面４ｄの間隔が上面４ａから下面４ｃに向かって狭くなるように傾斜させて形成した場合について説明したが、本発明はこれに限られず、空洞６の壁面が開口部７から第１の貫通孔９に向かって傾いて、音波発生部３で発生した音波を第１の貫通孔９に効率的に導くことができる形状に形成されているならば、エンクロージャ４の外側面は如何なる形状であってもよい。
【００３６】
さらに、上記実施形態においては、音波発生部３をエンクロージャ４の上面４ａに取り付けた場合について説明したが、本発明はこれに限られず、音波発生部３はエンクロージャ４の前側面部に取り付けてもよい。この場合、音波発生部３で発生した音波は、スピーカ装置の前方に放射されるため、前述のディフューザー５は、設ける必要がない。
【００３７】
そして、以上の説明においては、一つのスピーカ装置について述べたが、ステレオ再生する場合には、上記スピーカ装置が複数個組み合わせされて使用される。
【図面の簡単な説明】
【００３８】
【図１】本発明によるスピーカ装置の実施形態を示す部分断面正面図である。
【図２】図１の右側面図である。
【図３】本発明のスピーカユニットのエンクロージャを示す四面図であり、（ａ）は平面図、（ｂ）は（ａ）のＡ−Ａ線断面正面図、（ｃ）は（ａ）のＡ−Ａ線断面右側面図、（ｄ）は底面図である。
【符号の説明】
【００３９】
１…スピーカユニット
２…ガラス瓶
３…音波発生部
４…エンクロージャ
４ａ…上面（一面）
４ｂ…下面（他面）
５…ディフューザー
６…空洞
６ａ，６ｂ…空洞の壁面
７…開口部
８…ガラス瓶の先端部
９…第１の貫通孔（貫通孔）
１０…パイプ
１１…第２の貫通孔（別の貫通孔）
１６…ガラス瓶の内部空間
１７…ガラス瓶の胴部
【図１】
2009017299.tif 000003
【図２】
2009017299.tif 000004
【図３】
2009017299.tif 000005